(57)【要約】【課題】より確実に植物の成長高さをコントロールすることのできる植物育成装置を得る。【解決手段】植物栽培装置１０は、植物７０の成長方向を誘導する平板状の誘導部３０と、誘導部３０を植物の高さ方向に高さ調整可能な高さ調整部４０と、を備えている。そして、誘導部３０は、光透過性を有するとともに透過波長選択性を有している。【選択図】図１
2014100082.tif 000002
【特許請求の範囲】
【請求項１】
植物の成長方向を誘導する平板状の誘導部と、
前記誘導部を前記植物の高さ方向に高さ調整可能な高さ調整部と、を備える植物栽培装置であって、
前記誘導部は、光透過性を有するとともに透過波長選択性を有することを特徴とする植物育成装置。
【請求項２】
前記誘導部を介して前記植物に光を照射する光源部を備えることを特徴とする請求項１に記載の植物育成装置。
【請求項３】
前記誘導部と前記高さ調節部とを有する植物育成装置本体が前記植物の高さ方向に複数段積み上げられていることを特徴とする請求項１または請求項２に記載の植物育成装置。
【発明の詳細な説明】
【技術分野】
【０００１】
本発明は、植物育成装置に関する。
【背景技術】
【０００２】
従来、植物育成装置として、照明灯を支持する複数の支持部材と、当該支持部材を移動可能に支持するガイドレールとを備えたものが知られている（例えば、特許文献１参照）。
【０００３】
この特許文献１では、上記構成とすることで、栽培物の種類や成長等に合わせて照明灯の最適なピッチや高さを選択し、栽培物の種類や成長等に応じた照明を行えるようにしている。
【先行技術文献】
【特許文献】
【０００４】
【特許文献１】特開２００９−１０６２０８号公報
【発明の概要】
【発明が解決しようとする課題】
【０００５】
しかしながら、植物が予想以上に成長して最も高くした状態における照明灯に到達してしまう可能性もあり、このような場合には、上記従来の技術では対応することができなかった。すなわち、上記従来の技術では、植物の成長高さをコントロールすることができなかった。
【０００６】
そこで、本発明は、より確実に植物の成長高さをコントロールすることのできる植物育成装置を得ることを目的とする。
【課題を解決するための手段】
【０００７】
本発明の第１の特徴は、植物の成長方向を誘導する平板状の誘導部と、前記誘導部を前記植物の高さ方向に高さ調整可能な高さ調整部と、を備える植物栽培装置であって、前記誘導部は、光透過性を有するとともに透過波長選択性を有することを要旨とする。
【０００８】
本発明の第２の特徴は、前記誘導部を介して前記植物に光を照射する光源部を備えることを要旨とする。
【０００９】
本発明の第３の特徴は、前記誘導部と前記高さ調節部とを有する植物育成装置本体が前記植物の高さ方向に複数段積み上げられていることを要旨とする。
【発明の効果】
【００１０】
本発明にかかる植物育成装置は、光透過性を有するとともに透過波長選択性を有し、植物の成長方向を誘導する平板状の誘導部と、誘導部を植物の高さ方向に高さ調整可能な高さ調整部と、を備えている。したがって、誘導部を介して特定の波長の光を植物に照射させることが可能となる上、所望の高さとなるように調節した誘導部によって植物の高さ方向の成長を規制することができる。このように、植物の成長を制御しつつ、誘導部の高さ以上に植物が成長してしまうのを抑制することで、より確実に植物の成長高さをコントロールすることができるようになる。
【図面の簡単な説明】
【００１１】
【図１】本発明の第１実施形態にかかる植物育成装置を模式的に示す斜視図である。
【図２】本発明の第２実施形態にかかる植物育成装置を模式的に示す斜視図である。
【図３】本発明の第３実施形態にかかる植物育成装置を模式的に示す斜視図である。
【図４】本発明の第３実施形態の変形例にかかる植物育成装置を模式的に示す斜視図である。
【発明を実施するための形態】
【００１２】
以下、本発明の実施形態について図面を参照しつつ詳細に説明する。なお、以下の複数の実施形態には、同様の構成要素が含まれている。よって、以下では、それら同様の構成要素には共通の符号を付与するとともに、重複する説明を省略する。また、以下では、植物としてジャガイモを例示し、植物の高さ方向を上下方向として説明する。
【００１３】
（第１実施形態）
本実施形態にかかる植物育成装置１０は、図１に示すように、植物７０の成長方向を誘導する平板状の誘導部３０を備えている。
【００１４】
本実施形態では、誘導部３０は平面視で略矩形状をしており、誘導部３０の４隅には支柱５０を挿通可能な貫通孔３１が形成されている。
【００１５】
また、支柱５０の表面には、ねじ溝が形成されており、このねじ溝に螺合させることでナット６０を支柱５０に取り付けている。このように、ナット６０を支柱５０のねじ溝に螺合させることで、ナット６０は、高さ位置が可変となるように支柱５０に取り付けられる。
【００１６】
そして、ナット６０を、４本の支柱５０に、高さ位置がほぼ同一の高さとなるように取り付け、４本の支柱５０の先端を誘導部３０の４隅の挿通孔３１に挿通させる。こうして、誘導部３０は、ナット６０によって位置決めがなされ、支柱５０にされる。このとき、誘導部３０は、所定高さで略水平となった状態で支柱５０に支持されることとなる。
【００１７】
このように、本実施形態では、４本の支柱５０と各支柱５０に高さ位置が可変となるように取り付けられるナット６０とで高さ調整部４０を構成している。そして、この高さ調整部４０によって、誘導部３０の上下方向への高さ調整を行えるようにしている。
【００１８】
また、誘導部３０を所望の高さで支柱５０に支持させた状態で、誘導部３０の下部に形成される空間に、栽培容器２０を載置するようにしている。本実施形態では、植物７０を土壌２１で栽培するようにしたものを載置している。具体的には、発芽したジャガイモの種芋部分を栽培容器２０の土壌２１内に植えたものを誘導部３０の下部に載置している。
【００１９】
また、本実施形態では、誘導部３０は、例えば、ガラス等の材料を用いて形成されており、光透過性を有している。したがって、誘導部３０の下部に載置された植物７０には、誘導部３０を介して光が照射されることとなる。なお、本実施形態では、誘導部３０を介して太陽光を、植物７０、より具体的には、ジャガイモの茎や葉に照射させるようにすることで、植物７０を生育させるようにしている。
【００２０】
さらに、本実施形態では、誘導部３０は、所定の波長範囲の光だけを選択的に透過させる透過波長選択性を有している。このように透過波長選択性を有する誘導部３０は、例えば、バンドパスフィルタ等の光学フィルタを用いて形成することができる。
【００２１】
本実施形態では、植物生育波長である紫外光〜青色光(３００ｎｍ〜４００ｎｍ)および赤色光(６００ｎｍ〜７００ｎｍ)の光を選択的に透過させる誘導部３０を用いている。
【００２２】
このように、紫外光〜青色光および赤色光の光を選択的に透過させる機能を有する誘導部３０を用いることで、誘導部３０を透過した光（紫外光〜青色光および赤色光）を植物７０に照射させることができるようになる。このように、紫外光〜青色光および赤色光を植物７０に照射させることで、植物７０の生育方向や生育を制御することができるようになる。
【００２３】
かかる構成の植物育成装置１０を用いることで、植物７０には、誘導部３０を透過した光が照射されて、植物７０が生育する。そして、植物７０が誘導部３０の高さまで生育した際には、誘導部３０によって、植物７０の高さ方向への生育が規制され、植物７０は誘導部３０の下面に沿って水平方向に生育することとなる。このように、本実施形態にかかる植物育成装置１０を用いることで、植物７０の生育は、誘導部３０によって水平方向に誘導され、高さ方向への生育を規制することができる。したがって、植物７０が予想以上に生育した場合であっても、誘導部３０の高さ以上に生育してしまうのを抑制することができるようになる。
【００２４】
以上、説明したように、本実施形態では、植物育成装置１０は、光透過性を有するとともに透過波長選択性を有し、植物７０の成長方向を誘導する平板状の誘導部３０を備えている。さらに、植物育成装置１０は、誘導部３０を植物の高さ方向に高さ調整可能な高さ調整部４０を備えている。したがって、誘導部３０を介して特定の波長の光を植物７０に照射させることが可能となる上、所望の高さとなるように調節した誘導部３０によって植物７０の高さ方向の成長を規制することができる。このように、植物７０の成長を制御しつつ、誘導部３０の高さ以上に植物７０が成長してしまうのを抑制することで、より確実に植物７０の成長高さをコントロールすることができるようになる。
【００２５】
（第２実施形態）
本実施形態にかかる植物育成装置１０Ａは、基本的に上記第１実施形態の植物育成装置１０と同様の構成をしている。
【００２６】
すなわち、植物育成装置１０Ａは、光透過性を有するとともに透過波長選択性を有し、植物７０の成長方向を誘導する平板状の誘導部３０を備えている。さらに、植物育成装置１０は、誘導部３０を植物の高さ方向に高さ調整可能な高さ調整部４０を備えている。
【００２７】
また、本実施形態においても、紫外光〜青色光および赤色光の光を選択的に透過させる誘導部３０を用いている。
【００２８】
ここで、本実施形態にかかる植物育成装置１０Ａが上記第１実施形態の植物育成装置１０と主に異なる点は、植物育成装置１０Ａが、誘導部３０を介して植物７０に光を照射する光源部８０を備えている点にある。
【００２９】
具体的には、光源部８０は、支柱５０に取り付けられる枠部８１と、当該枠部８１に取り付けられる照明８２とで形成されている。なお、照明８２としては、電球、蛍光灯、ＬＥＤ等、公知のものを用いることができる。
【００３０】
さらに、本実施形態では、光源部８０の枠部８１は、誘導部３０との間に空間（隙間）９０が形成されるように取り付けられている。このような空間９０を光源部８０と誘導部３０との間に形成することで、植物７０が照明８２の熱による影響を受けてしまうのを抑制できるようになる。
【００３１】
また、本実施形態では、水耕栽培により植物７０を生育させるようにしており、かかる点も上記第１実施形態とは異なっている。
【００３２】
水耕栽培とは、栽培容器２０内に水を流し、栽培容器２０内を流れる水に植物の根を浸すことで、水中の養分や溶存酸素等を根から吸収できるようにして植物を生育させるようにしたものである。
【００３３】
本実施形態では、発芽したジャガイモの種芋部分を載置して支持する支持板２２を、栽培容器２０内の水面から露出するように設けている。さらに、種芋部分の上方には、栽培容器２０の開口部分をほぼ覆うように遮光シート２３が設けられており、種芋や生育された塊茎に光が照射されるのを抑制している。
【００３４】
かかる構成の植物育成装置１０Ａを用いることで、植物７０には、誘導部３０を透過した光（紫外光〜青色光および赤色光）が照射されて、植物７０が生育する。そして、植物７０が誘導部３０の高さまで生育した際には、誘導部３０によって、植物７０の高さ方向への生育が規制され、植物７０は誘導部３０の下面に沿って水平方向に生育することとなる。このように、本実施形態にかかる植物育成装置１０を用いることで、植物７０の生育は、誘導部３０によって水平方向に誘導され、高さ方向への生育を規制することができる。したがって、植物７０が予想以上に生育した場合であっても、誘導部３０の高さ以上に生育してしまうのを抑制することができるようになる。
【００３５】
なお、照明８２から照射される光の波長を、取り付けられる部位に応じて適宜変更することも可能である。すなわち、複数の照明８２を用い、照射される光の波長範囲が異なる照明８２を少なくとも１つ設けるようにしてもよい。こうすれば、例えば、誘導部３０の高さまで生育した植物７０を中央部に向けて生育させるように生育方向をコントロールすることが可能となる。このように、生育方向をコントロールすることができれば、外周側に向けて生育し、誘導部３０の外側から上方に向かって生育してしまうのを抑制することができる。
【００３６】
以上、説明したように、本実施形態によっても、上記第１実施形態と同様の作用、効果を奏することができる。
【００３７】
また、本実施形態によれば、植物育成装置１０Ａは、誘導部３０を介して植物７０に光を照射する光源部８０を備えている。そのため、植物７０の生育に太陽光を用いる必要がなくなるため、場所を限定することなく植物育成装置１０Ａを設置することが可能となる。
【００３８】
また、誘導部３０によって、植物７０の高さ方向への生育が規制されるようにしているため、光源部８０を設けたとしても、植物７０が照明８２に到達するまで生育してしまうのを抑制することができる。したがって、植物７０の照明８２の熱による影響をより確実に抑制することができるようになる。
【００３９】
（第３実施形態）
本実施形態にかかる植物育成装置１０Ｂは、基本的に上記第２実施形態の植物育成装置１０Ａと同様の構成をしている。
【００４０】
すなわち、植物育成装置１０Ｂは、光透過性を有するとともに透過波長選択性を有し、植物７０の成長方向を誘導する平板状の誘導部３０を備えている。さらに、植物育成装置１０は、誘導部３０を植物の高さ方向に高さ調整可能な高さ調整部４０を備えている。
【００４１】
また、本実施形態においても、紫外光〜青色光および赤色光の光を選択的に透過させる誘導部３０を用いている。
【００４２】
そして、植物育成装置１０Ｂは、誘導部３０を介して植物７０に光を照射する光源部８０を備えている。
【００４３】
さらに、本実施形態においても、水耕栽培により植物７０を生育させるようにしている。
【００４４】
ここで、本実施形態にかかる植物育成装置１０Ｂが上記第２実施形態の植物育成装置１０Ａと主に異なる点は、以下の通りである。
【００４５】
本実施形態にかかる植物育成装置１０Ｂは、誘導部３０と高さ調節部４０とを有する植物育成装置本体１００を有しており、当該植物育成装置本体１００が上下方向に複数段積み上げられている点が、上記第２実施形態と異なっている。
【００４６】
具体的には、植物育成装置本体１００は、誘導部３０、高さ調節部４０および光源部８０とで構成される植物育成装置本体１００を有している。そして、２つの植物育成装置本体１００が上下方向に２段に積み上げられている。
【００４７】
本実施形態では、光源部８０は、略矩形板状の支持板８３と、当該支持板８３の下面に取り付けられる照明８２とで構成されている。本実施形態では、照明８２として蛍光灯を用いている。なお、照明８２は、蛍光灯に限らず、電球やＬＥＤ等、公知のものを用いることができる。
【００４８】
そして、支持板８３の４隅には支柱５０を挿通可能な貫通孔８４が形成されており、支柱５０に螺合されるナット６０（高さ調整部４０）によって、支持板８３も、誘導部３０と同様に、高さ位置が可変となるように支柱５０に取り付けられている。
【００４９】
すなわち、本実施形態にかかる支柱５０には、下から順に、１段目（下段）の誘導部３０、１段目の支持板８３、２段目（上段）の誘導部３０および２段目の支持板８３が、所定の間隔を置けた状態で支持されている。したがって、１段目の誘導部３０と１段目の支持板８３との間、および２段目の誘導部３０と２段目の支持板８３との間には、空間９０が形成されている。
【００５０】
そして、１段目の誘導部３０の下方および２段目の誘導部３０の下方に、それぞれ栽培容器２０が載置されている。本実施形態では、２段目の栽培容器２０は、１段目の支持板８３の上部に載置されている。このとき、水耕栽培により植物７０を生育させる栽培容器２０を１段目の支持板８３の上部に載置している。すなわち、内部で水が流れている栽培容器２０を１段目の支持板８３の上部に載置している。そのため、１段目の支持板８３に取り付けられた照明８２から発生する熱が植物７０に伝達されてしまうのを、栽培容器２０の水流によって抑制することができる。なお、栽培容器２０と１段目の支持板８３との間に断熱部材を介在させるようにしてもよい。
【００５１】
以上の本実施形態によっても、上記第２実施形態と同様の作用、効果を奏することができる。
【００５２】
また、本実施形態によれば、誘導部３０と高さ調節部４０とを有する植物育成装置本体１００を上下方向に複数段積み上げている。
【００５３】
すなわち、植物７０の高さ方向への生育を規制することのできる植物育成装置本体１００を上下方向に複数段積み上げている。すなわち、植物７０が予想以上に生育したとしても、誘導部３０によって成長高さを低く設定することができる植物育成装置本体１００を上下方向に複数段積み上げている。したがって、装置全体の高さをあまり高くすることなく植物育成装置本体１００を上下方向に複数段積み上げることができるようになる。
【００５４】
なお、図４に示すように、植物育成装置１０Ｂの周囲を側壁１１０によって囲うようにしてもよい。こうすれば、植物７０が誘導部３０の外周側に向けて生育し、誘導部３０の外側にはみ出して上方に向かって生育してしまうのをより確実に抑制することができる。なお、側壁１１０は全周にわたって設ける必要はなく一部だけに設けるようにすることも可能である。
【００５５】
また、上記第１および第２実施形態の植物育成装置１０，１０Ａに側壁１１０を設けるようにすることも可能である。
【００５６】
以上、本発明の好適な実施形態について説明したが、本発明は上記実施形態には限定されず、種々の変形が可能である。
【００５７】
例えば、栽培容器の形状や植物の配置方法等は適宜に設定することが可能である。
【００５８】
また、上記各実施形態では、植物としてジャガイモを例示したが、ナス等の他の野菜や樹木等を用いることも可能である。
【００５９】
また、光源部、その他細部のスペック（形状、大きさ、レイアウト等）も適宜に変更可能である。
【符号の説明】
【００６０】
１０，１０Ａ，１０Ｂ  植物育成装置
３０  誘導板
４０  高さ調整部
５０  支柱
６０  ナット
８０  光源部
１００  植物育成装置本体
【図１】
2014100082.tif 000003
【図２】
2014100082.tif 000004
【図３】
2014100082.tif 000005
【図４】
2014100082.tif 000006